(57)【要約】      （修正有）【課題】レールを備える引き戸装置におけるレールの走行面の清掃を行なうことができる清掃装置を提供する。【解決手段】枠体２と、枠体に設けられたレール部材４に沿って動かされる引き戸３とを備える引き戸装置の引き戸に取り付けられ、レール部材４の走行面４１を清掃するための清掃装置５ａ、５ｂであって、清掃装置５ａ、５ｂが、レール部材の走行面４１に摺動係合されたワイパー部材であって、引き戸の走行方向における両端部において走行面４１と摺動可能とされた摺動部を有するワイパー部と、走行面４１から離れた位置に設けられた位置でワイパー部に取り付けられた連接部とを有するワイパー部材と、引き戸に取り付けられ、ワイパー部材の連接部を、遊びをもって受け入れる連接部受入部を備えるワイパー取付け部材とを備えてなる引き戸清掃装置１。【選択図】図１
2010024701.tif 000002
【特許請求の範囲】
【請求項１】
枠体と該枠体に設けられたレール部材に沿って動かされる引き戸とからなる引き戸装置の引き戸に取り付けられ、該レール部材の走行面を清掃するための引き戸清掃装置であって、
該レール部材の走行面に摺動係合されたワイパー部材であって、当該引き戸の走行方向における両端部において該走行面と摺動可能とされた摺動部を有するワイパー部と、該走行面から離れた位置で該ワイパー部に取り付けられた連接部とを有するワイパー部材と、
該引き戸に取り付けられ、該ワイパー部材の該連接部を受け入れる連接部受入部を備えるワイパー取付け部材と
を備え、
該連接部受入部は、引き戸がレール部材上を走行するときに、該連接部に当該引き戸の走行方向への力をかける第１壁面部分と、それにより該ワイパー部材が、該力と該力に対応してレール部材からかけられる該走行方向とは反対方向への摩擦力によって、該レール部材に対して所定角度だけ傾斜したときに該連接部に係合して該ワイパー部材のそれ以上の傾斜を止める第２壁面部分とを有する引き戸清掃装置。
【請求項２】
該連接部が、該ワイパー部の両端部間の位置とされている請求項１に記載の引き戸清掃装置。
【請求項３】
該レール部材が該枠体の上部縁に沿って設けられ、該走行面が該レール部材の上面に形成されており、該ワイパー部材が該走行面の上から摺動係合されている請求項１又は２に記載の引き戸清掃装置。
【請求項４】
該連接部が円柱状とされ、水平で該走行方向に対して直角に延びるように設定されている請求項１乃至３のいずれかに記載の引き戸清掃装置。
【請求項５】
該連接部受入部が、該走行面から離れる方向に細長い長円形とされている請求項４に記載の引き戸清掃装置。
【発明の詳細な説明】
【技術分野】
【０００１】
本発明は、レールの走行面を引き戸の開閉動作に伴って清掃することができる、引き戸清掃装置に関する。
【背景技術】
【０００２】
引き戸の開閉動作に伴い、引き戸装置におけるレールの走行面を清掃できる引き戸清掃装置は特許文献１〜３において提案されている。例えば、特許文献１には、レール上を走行する戸車の左右両側にブラシ状の清掃部材を装着してなる清掃装置が、また特許文献２には、戸車の左右両側にスポンジからなる清掃部材を装着してなる清掃装置が開示されている。特許文献３には戸車の外周に清掃部材を配してなる清掃装置が開示されている。
【特許文献１】実開昭５７−１６５７５号公報
【特許文献２】実開昭６０−１５０２８６号公報
【特許文献３】特許第３６９４５７４号
【発明の開示】
【発明が解決しようとする課題】
【０００３】
しかしながら、特許文献１及び２において提案されているこれら清掃装置は、戸車を乗せて案内するレールのない引き戸装置に使用するものであり、戸車の走行面がレールである場合にはブラシ状又はスポンジからなる清掃部材がレールの表面全面にしっかりと当接しなかったり、強く当接させてしまうと戸車の走行性を阻害したりするという問題があった。また、特許文献３の清掃装置は、戸車と清掃部材とが直接当接してしまい戸車の走行性を阻害するという問題があった。
【０００４】
本発明は、レールを備える引き戸装置におけるレールの走行面の清掃を行なうことができる清掃装置を提供することを目的とする。
【課題を解決するための手段】
【０００５】
本発明は、上述の課題を解消すべく、
枠体（以下に述べる実施形態の説明では参照番号２で示す。以下同様）と、該枠体（２）に設けられたレール部材（４）に沿って動かされる引き戸（３）とからなる引き戸装置の引き戸（３）に取り付けられ、該レール部材（４）の走行面（４１）を清掃するための清掃装置（５ａ，５ｂ）であって、
該レール部材（４）の走行面（４１）に摺動係合されたワイパー部材（５０）であって、当該引き戸（３）の走行方向における両端部において該走行面（４１）と摺動可能とされた摺動部（５３）を有するワイパー部（５１）と、該走行面（４１）から離れた位置に設けられた位置で該ワイパー部（５１）に取り付けられた連接部（５２）とを有するワイパー部材（５０）と、
該引き戸（３）に取り付けられ、該ワイパー部材（５０）の該連接部（５２）を、受け入れる連接部受入部（６１）を備えるワイパー取付け部材（６０）と
を備え、
該連接部受入部（６１）は、引き戸（３）がレール部材（４）上を走行するときに、該連接部（５２）に当該引き戸の走行方向への力をかける第１壁面部分（６１ａ）と、それにより該ワイパー部材（５０）が、該力と該力に対応してレール部材（４）からかけられる該走行方向とは反対方向への摩擦力によって、該レール部材（４）に対して所定角度だけ傾斜したときに該連接部（５２）に係合して該ワイパー部材（５０）のそれ以上の傾斜を止める第２壁面部分（６１ｂ）とを有する引き戸装置（１）を提供する。
【０００６】
この引き戸清掃装置（５ａ，５ｂ）によれば、引き戸の開閉動作に伴い連接部受入部（６１）内で連接部（５２）が移動し、これによりワイパー部（５１）が傾斜するので、進行方向側のワイパー部（５１）の端部の摺動部（５３）のみにより走行面（４１）全面を清掃する。これにより、走行面との接触面積が大きくならず、戸車の走行性を阻害することなく、効率よく当該走行面（４１）を清掃することができる。
【０００７】
また、ワイパー部材が傾斜した状態では、引き戸の開閉力の分力が第２壁面部分（６１ｂ）から連接部に作用し、その力がワイパー部（５１）の端部の摺動部（５３）からレール部材の走行面に作用するので、走行面を確実に清掃できる。
【０００８】
具体的には、該連接部（５２）が、該ワイパー部（５１）の両端部間の位置とされているようにすることができ、これにより、引き戸（３）を開放方向と閉鎖方向とのいずれの方向に移動させる場合であってもワイパー部（５１）の端部の摺動部（５３）をレール部材（４）の走行面（４１）に確実に摺動係合させることができる。
【０００９】
また、該レール部材（４）が該枠体（２）の上部縁に沿って設けられ、該走行面（４１）が該レール部材（４）の上面に形成されており、該ワイパー部材（５０）が該走行面（４１）の上から摺動係合されているようにすることができる。これにより、引き戸（３）の開閉動作をスムーズにすることができると共にレール部材（４）の走行面（４１）の清掃効果をより向上させることができる。
【００１０】
また、該連接部（５２）が円柱状とされ、水平で該走行方向に対して直角に延びるように設定されているようにすることができる。これにより、安定してワイパー部（５１）を保持することができる。
【００１１】
該連接部受入部（６１）が、該走行面（４１）から離れる方向に細長い長円形とされているようにすることができる。これにより、ワイパー部（５１）の端部の摺動部（５３）のみが走行面（４１）に係合して、引き戸の良好な走行性と清掃とを最適な状態にコントロールすることが可能となる。
【００１２】
該ワイパー部（５１）が、走行方向に直線的に延び、該走行面（４１）に摺動係合される摺動部（５３）を有するようにすることができる。摺動部が直線的とされ走行面と係合するようにすることにより、当該ワイパー部を、レール部材との適正な位置関係にしながら引き戸に設定することを容易にする。
【発明を実施するための最良の形態】
【００１３】
以下、本発明の引き戸清掃装置につき添付図面を参照して更に具体的に説明する。
【００１４】
図1に示す本実施形態の引き戸装置１は、枠体２と、枠体２の上部縁に沿って設けられたレール部材４に沿って動かされる引き戸３と、引き戸３に取り付けられ、レール部材４の走行面４１を清掃するための清掃装置５ａ，５ｂと、を備えている。
【００１５】
本実施形態における引き戸装置１は、以下に述べるように、引き戸３を開放した場合に自動的に閉鎖するように構成されている。先ず、レール部材４の走行面４１を走行する走行部材７ａ，７ｂが引き戸３の上部縁における左右端部に設けられている。該走行部材は、それぞれ、引き戸３に固定するための固定用ケーシング７１と、固定用ケーシング７１に回転自在に取り付けられ、レール部材４の走行面４１を転動する戸車７２とを備える。戸車７２は、外周面の全面に渡って半円形状の凹部７３が形成されている（図2参照）。引き戸３の閉鎖方向側（すなわち、図１で見て左側）の走行部材７ａには、レール部材４の上方縁部に設けられたラック７４と噛合するピニオン７５を備え、引き戸が閉鎖方向で動かされるときの該ピニオンの回転に伴って適宜の制動を行なって引き戸３の閉鎖速度を調節するための制動装置(図示せず)が設けられている。また、レール部材４の閉鎖方向側の端部には、一端が走行部材７ａに連結され他端がゼンマイバネによって駆動されるドラム（図示せず）に連結されたワイヤー７６を具備し、引き戸３を開放した場合に、走行部材７ａを介して引き戸３を閉鎖方向に付勢する自動閉鎖装置７７が設けられている。
【００１６】
レール部材４は、図２に示すように、断面Ｌ字状であり、枠体２の上部縁に沿って設けられている。レール突条４２の上面にある走行面４１は、戸車７２の凹部７３と係合するように断面半円形状に形成されている。
【００１７】
清掃装置５ａ，５ｂは、各走行部材７ａ，７ｂにそれぞれ設けられており、図１に示すように、走行部材７ａに設けられた清掃装置５ａは、固定ケーシングから閉鎖方向側に突出しているのに対して、走行部材７ｂに設けられた清掃装置５ｂは、固定ケーシングの開放方向側の内部に設けられて、引き戸３を開放した際に清掃装置５ｂが戸あたりに衝突することがないようにしている。
【００１８】
清掃装置５ａについて図２及び図４を参照して説明すると、清掃装置５ａは、レール部材４の走行面４１に摺動係合されるワイパー部材５０とワイパー部材５０を取り付けるワイパー取付け部材６０とを備え、ワイパー部材５０は走行面４１の上から摺動係合されている。
【００１９】
ワイパー部材５０は、走行面４１と摺動可能な摺動部５３を有するワイパー部５１と、走行面４１から離れた位置でワイパー部５１に取り付けられた連接部５２とを有する。
【００２０】
ワイパー部５１は、図４に示すように、台形状に形成され、その下面には、走行方向に直線的に延び、走行面４１に摺動係合されるように断面半円形とされた摺動部５３を有する。
【００２１】
連接部５２は、図２〜４に示すように、ワイパー部５１の上方位置で且つ当該ワイパー部材の両端部間の位置に取り付けられており、その形状は円柱状であり、水平で走行方向に対して直角に延びるように設定されている。
【００２２】
また、本実施形態においては、脱落防止用の止め具５４が連接部５２の先端部に設けられている。
【００２３】
ワイパー取付け部材６０は、図１及び２に示すように、１枚の板体を折り曲げて形成されており、ボルト６２により固定ケーシング７１に固定される第１の部分６０ａと、該第１の部分から固定ケーシングの左側縁７１ａに沿って折れ曲げられた第２の部分６０ｂと、該第２の部分から図１で見て左側に折り曲げられた第３の部分６０ｃとからなる。第３の部分には連接部受入部６１が形成されている。連接部受入部６１は、貫通した開口であり、連接部５２を、遊びをもって受け入れ、以下に述べるように、引き戸の開閉に伴ってワイパー部材が傾動されるようにしてある。すなわち、連接部受入部６１はワイパー部材５０が傾斜されるときにそれに伴う連接部５２の動きを許容し、且つ、傾斜が所定角度になったときに、連接部５２の動きを止めて、ワイパー部材５０の傾斜を保持するための遊びをもって連接部５２を受け入れるようになされている。本実施形態において連接部受入部６１は、引き戸３がレール部材４上を走行するときに、連接部５２に引き戸３の走行方向への力をかける第１の壁面部分６１ａ（図４参照）と、それによりワイパー部材が、力と力に対応してレール部材４からかけられる走行方向とは反対方向への摩擦力によって、レール部材に対して所定角度だけ傾斜したときに連接部５２に係合してワイパー部材５０のそれ以上の傾斜を止める第２の壁面部分６１ｂ（図４参照）とを有する。具体的には、連接部受入部６１は、走行面４１から離れる方向に細長い長円形とされ、連接部５２の上下方向には多くの遊びが、また左右方向には若干の遊びが設けられており、図４（ａ）〜（ｃ）に示す長円形の開口におけるほぼ直線状の側壁部分が「連接部５２に引き戸３の走行方向への力をかける第１の壁面部分６１ａ」を形成しており、図４（ａ）〜（ｃ）に示す長円形の開口における上部の半円形状の壁面が「連接部５２に係合してワイパー部材５０のそれ以上の傾斜を止める第２の壁面部分６１ｂ」を形成している（図４参照）。
【００２４】
清掃装置５ｂは、図３に示すように図２に示す形態の清掃装置５ａとは異なる形態であるが、連接部５２が戸車７２の走行を阻害しないように枠体側を向いて設置されている点、及びワイパー取り付け部材６０が図３の上方から見て１枚のコの字状の板体からなり、図1に示すように、正面から見て、清掃装置がケーシングの裏側に位置して、見えないようにされている点を除いては、清掃装置５ａと同様に形成されている。
【００２５】
次に図４（ａ）〜（ｃ）を参照して清掃措置５ａの作用について説明する。なお、清掃装置５ｂも同様に作用する。また、図４においては便宜上、止め具を省略して示すと共にワイパー部材を実線で示している。
【００２６】
図４（ａ）；静止状態では、連接部５２がほぼ連接部受入部６１中央部に位置し、ワイパー部５１は水平状態であり、摺動部５３はその全面が走行面４１に当接している。
【００２７】
図４（ｂ）；引き戸３を開放方向すなわち右方に移動させて、引き戸３がレール部材４上を走行すると、連接部受入部６１の側壁（左側面）によって連接部５２に右向きへの力が加えられて、ワイパー部材５０が引き戸３の走行方向への力を受け、これにより、当該ワイパー部材は右方へ動かされるようになるが、摺動部５３がレール部材の走行面４１から左向きの摩擦抵抗（走行方向とは反対方向への力）を受けるために、当該ワイパー部材には全体として(図４ｂで見て)時計周りの回転モーメントがかかる。このため、連接部５２は連接部受入部６１の周縁に図中のＡで当接すると共にワイパー部材は図示のように右向き前のめりのように傾斜した状態とされて、図中のＢで示す部分でレール部材４１の走行面上を摺動し、同走行面の清掃を行う。
【００２８】
図４（ｃ）；引き戸を開放方向に移動させた後、引き戸への力を解除すると、自動閉鎖装置７７(図１参照)の作用により引き戸は閉鎖方向に自動的に移動する。この際、清掃装置５ａは、ワイパー部材５０に図４（ｂ）とは逆方向の力が加わるために逆向きに傾斜した状態で走行面４１を摺動し、該走行面４１の清掃を行なう。
【００２９】
本発明は、上述の実施形態に制限されるものではなく、本発明の趣旨を逸脱しない範囲で種々変更可能である。
【００３０】
例えば、レール部材の走行面を凹状とし、ワイパー部の摺動部を凸状とすることもできる。
【００３１】
また、連接部の形状は円柱状でなく、断面矩形状でもよい。また、連接部受入部は、連接部を受け入れられるようになっていれば貫通した開口でなくてもよく、その形状も長円形でなく、矩形状でもよい。
【図面の簡単な説明】
【００３２】
【図１】図１は、本発明の清掃装置を備えた引き戸装置を示す正面図であり、引き戸が閉鎖された状態を示すと共に引き戸が開放された状態を一部部分示す図である。
【図２】図２は、本発明の清掃装置の1実施形態を示す断面図（ハッチングは一部省略）である。
【図３】図３は、本発明の清掃装置の他の実施形態を示す断面図（ハッチングは一部省略）である。
【図４】図４（ａ）〜（ｃ）は、それぞれ清掃装置の作用を説明するために清掃装置のみを拡大して示す正面図である。
【符号の説明】
【００３３】
引き戸装置１；枠体２；レール部材４；引き戸３；走行面４１；清掃装置５ａ，５ｂ；走行部材７ａ，７ｂ；固定用ケーシング７１；戸車７２；凹部７３；ラック７４；ピニオン７５；ワイヤー７６；自動閉鎖装置７７；ワイパー部材５０；ワイパー取付け部材６０；ワイパー部５１；連接部５２；摺動部５３；止め具５４；連接部受入部６１；第１の壁面部分６１ａ；第２の壁面部分６１ｂ
【図１】
2010024701.tif 000003
【図２】
2010024701.tif 000004
【図３】
2010024701.tif 000005
【図４】
2010024701.tif 000006